(57)【要約】【課題】高音用スピーカの指向特性と、部品点数および重量の低減とを両立することができるスピーカユニットを提供する。【解決手段】スピーカユニット１は、底面部２１ａと筒部２１ｂとを有するヨーク２１と、底面部に固定される第１端面２２ａを有するマグネット２２と、マグネット２２の第２端面２２ｂに固定される柱状部材２３と、第２端面２２ｂのうち柱状部材２３よりも外側の領域に固定される筒状部材２４と、ヨーク２１と筒状部材２４との間に配置される第１ボイスコイル３２に固定される第１振動板３０と、柱状部材２３と筒状部材２４との間に配置される第２ボイスコイル４２および筒状部材２４に固定される第２振動板４０と、支持部材１０とを備え、第２振動板４０と第２ボイスコイル４２との固定部分４５は、スピーカユニット１の軸を通る仮想的な平面と第１振動板３０との交線を延長した直線よりも所定方向側の位置に配置される。【選択図】図３
2020150472.tif 000002
【特許請求の範囲】
【請求項１】
低音用スピーカと高音用スピーカとが同軸で配置されるスピーカユニットであって、
底面部と、前記底面部の所定方向側に立設される筒部とを有するヨークと、
着磁方向における第１端面であって、前記底面部の前記所定方向側の面に固定される第１端面を有する第１マグネットと、
前記第１マグネットの、前記第１端面とは反対側の第２端面に固定され、磁性体からなる柱状部材と、
前記第１マグネットの前記第２端面のうち、前記スピーカユニットの径方向において前記柱状部材よりも外側の領域に固定され、磁性体からなる筒状部材と、
前記ヨークと前記筒状部材とのそれぞれに設けられ、互いに対向して配置された第１対向部同士の間に形成された第１磁気空隙内に配置される第１ボイスコイルと、
前記第１ボイスコイルに固定され、前記スピーカユニットの軸上に貫通孔を有する第１振動板と、
前記柱状部材と前記筒状部材とのそれぞれに設けられ、互いに対向して配置された第２対向部同士の間に形成された第２磁気空隙内に配置される第２ボイスコイルと、
前記貫通孔の内側に配置され、前記第２ボイスコイルおよび前記筒状部材に固定される第２振動板と、
前記ヨークおよび前記第１振動板を支持する支持部材と、を備え、
前記第２振動板と前記第２ボイスコイルとの固定部分は、前記スピーカユニットの軸を通る仮想的な平面と前記第１振動板との交線を延長した直線よりも前記所定方向側の位置に配置される
スピーカユニット。
【請求項２】
前記第２ボイスコイルは、前記直線上の位置に配置される
請求項１に記載のスピーカユニット。
【請求項３】
前記柱状部材は、有底筒状の部材であり、
前記柱状部材の底部は、前記第１マグネットの前記第２端面に固定されている
請求項１または２に記載のスピーカユニット。
【請求項４】
さらに、
前記柱状部材の前記所定方向側の面に固定され、前記第１マグネットの着磁方向とは反対方向に着磁されている第２マグネットを備える
請求項１から３のいずれか１項に記載のスピーカユニット。
【請求項５】
前記筒状部材の前記第２対向部は、前記筒状部材の前記第１対向部よりも前記所定方向側の位置に配置される
請求項１から４のいずれか１項に記載のスピーカユニット。
【請求項６】
請求項１から５のいずれか１項に記載のスピーカユニットと、
前記スピーカユニットに電気信号を入力する回路部と、を備える
電子機器。
【請求項７】
請求項１から５のいずれか１項に記載のスピーカユニットと、
前記スピーカユニットに電気信号を入力する回路部と、
前記スピーカユニットと前記回路部とを搭載した、自走可能な本体と、を備える
移動体装置。
【発明の詳細な説明】
【技術分野】
【０００１】
本開示は、低音用スピーカと高音用スピーカとが同軸で配置されているスピーカユニット、並びに、当該スピーカユニットを用いた電子機器および移動体装置に関する。
【背景技術】
【０００２】
従来、高音用スピーカおよび低音用スピーカが同軸で配置されているスピーカが知られている。
【０００３】
特許文献１では、低音用スピーカの磁気回路と高音用スピーカの磁気回路とが、１つの共通するマグネットを用いて形成されているスピーカが開示されている。
【０００４】
特許文献２では、ツィータがウーハ上に配置されているサポータによって支えられている構成の複合型スピーカが開示されている。
【先行技術文献】
【特許文献】
【０００５】
【特許文献１】特開２００４−２６０６６２号公報
【特許文献２】特開昭６１−１３９１８６号公報
【発明の概要】
【発明が解決しようとする課題】
【０００６】
しかしながら、特許文献１では、高音用スピーカが低音用スピーカのボイスコイル近傍に配置されるため、高音用スピーカの指向特性を良好することが難しいという課題がある。一方で、高音用スピーカの指向特性を改善するために特許文献２のように、高音用スピーカをより前方に配置することが考えられるが、部品点数が増え、かつ、重量が増えるという課題がある。
【０００７】
そこで、本開示は、高音用スピーカの指向特性と、部品点数および重量の低減とを両立することができるスピーカユニットを提供する。
【課題を解決するための手段】
【０００８】
本開示の一態様に係るスピーカユニットは、低音用スピーカと高音用スピーカとが同軸で配置されるスピーカユニットであって、底面部と、前記底面部の所定方向側に立設される筒部とを有するヨークと、着磁方向における第１端面であって、前記底面部の前記所定方向側の面に固定される第１端面を有する第１マグネットと、前記第１マグネットの、前記第１端面とは反対側の第２端面に固定され、磁性体からなる柱状部材と、前記第１マグネットの前記第２端面のうち、前記スピーカユニットの径方向において前記柱状部材よりも外側の領域に固定され、磁性体からなる筒状部材と、前記ヨークと前記筒状部材とのそれぞれに設けられ、互いに対向して配置された第１対向部同士の間に形成された第１磁気空隙内に配置される第１ボイスコイルと、前記第１ボイスコイルに固定され、前記スピーカユニットの軸上に貫通孔を有する第１振動板と、前記柱状部材と前記筒状部材とのそれぞれに設けられ、互いに対向して配置された第２対向部同士の間に形成された第２磁気空隙内に配置される第２ボイスコイルと、前記貫通孔の内側に配置され、前記第２ボイスコイルおよび前記筒状部材に固定される第２振動板と、前記ヨークおよび前記第１振動板を支持する支持部材と、を備え、前記第２振動板と前記第２ボイスコイルとの固定部分は、前記スピーカユニットの軸を通る仮想的な平面と前記第１振動板との交線を延長した直線よりも前記所定方向側の位置に配置される。
【発明の効果】
【０００９】
本開示に係るスピーカユニットは、高音用スピーカの指向特性と、部品点数および重量の低減とを両立することができる。
【図面の簡単な説明】
【００１０】
【図１】図１は、実施の形態に係るスピーカユニットの外観を示す斜視図である。
【図２】図２は、図１のスピーカユニットのＩＩ−ＩＩ断面図である。
【図３】図３は、図２における磁気回路周辺の領域Ａ１を拡大した図である。
【図４】図４は、変形例１に係るスピーカユニットのＩＩ−ＩＩ断面図に対応する断面図である。
【図５】図５は、図４における磁気回路周辺の領域Ａ２を拡大した図である。
【図６】図６は、変形例２に係るスピーカユニットのＩＩ−ＩＩ断面図に対応する断面図である。
【図７】図７は、図６における磁気回路周辺の領域Ａ３を拡大した図である。
【図８】図８は、変形例３に係るスピーカユニットのＩＩ−ＩＩ断面図に対応する断面図である。
【図９】図９は、図８における磁気回路周辺の領域Ａ４を拡大した図である。
【図１０】図１０は、実施の形態２における電子機器であるオーディオ用のミニコンポシステムの外観図である。
【図１１】図１１は、実施の形態３における移動体装置である自動車の断面図である。
【発明を実施するための形態】
【００１１】
本開示の一態様に係るスピーカユニットは、低音用スピーカと高音用スピーカとが同軸で配置されるスピーカユニットであって、底面部と、前記底面部の所定方向側に立設される筒部とを有するヨークと、着磁方向における第１端面であって、前記底面部の前記所定方向側の面に固定される第１端面を有する第１マグネットと、前記第１マグネットの、前記第１端面とは反対側の第２端面に固定され、磁性体からなる柱状部材と、前記第１マグネットの前記第２端面のうち、前記スピーカユニットの径方向において前記柱状部材よりも外側の領域に固定され、磁性体からなる筒状部材と、前記ヨークと前記筒状部材とのそれぞれに設けられ、互いに対向して配置された第１対向部同士の間に形成された第１磁気空隙内に配置される第１ボイスコイルと、前記第１ボイスコイルに固定され、前記スピーカユニットの軸上に貫通孔を有する第１振動板と、前記柱状部材と前記筒状部材とのそれぞれに設けられ、互いに対向して配置された第２対向部同士の間に形成された第２磁気空隙内に配置される第２ボイスコイルと、前記貫通孔の内側に配置され、前記第２ボイスコイルおよび前記筒状部材に固定される第２振動板と、前記ヨークおよび前記第１振動板を支持する支持部材と、を備え、前記第２振動板と前記第２ボイスコイルとの固定部分は、前記スピーカユニットの軸を通る仮想的な平面と前記第１振動板との交線を延長した直線よりも前記所定方向側の位置に配置される。
【００１２】
これによれば、第１ボイスコイル用の第１磁気空隙が形成される磁気回路と、第２ボイスコイル用の第２磁気空隙が形成される磁気回路とを、１つの第１マグネットを用いて形成している。また、第２振動板と第２ボイスコイルとの固定部分は、スピーカユニットの軸を通る仮想的な平面と第１振動板との交線を延長した直線よりも所定方向側の位置に配置される。このため、第２振動板をより前方の位置に配置することができる。これらのことから、高音用スピーカの指向特性と、部品点数および重量の低減とを両立することができる。
【００１３】
また、前記第２ボイスコイルは、前記直線上の位置に配置されてもよい。
【００１４】
このため、第１振動板を延長した直線よりも所定方向側の位置に第２振動板を配置することができる。
【００１５】
また、前記柱状部材は、有底筒状の部材であり、前記柱状部材の底部は、前記第１マグネットの前記第２端面に固定されていてもよい。
【００１６】
このため、重量をより低減することができる。
【００１７】
また、さらに、前記柱状部材の前記所定方向側の面に固定され、前記第１マグネットの着磁方向とは反対方向に着磁されている第２マグネットを備えてもよい。
【００１８】
このため、磁気回路による磁気作用を大きくすることができる。
【００１９】
また、前記筒状部材の前記第２対向部は、前記筒状部材の前記第１対向部よりも前記所定方向側の位置に配置されてもよい。
【００２０】
このため、第２振動板をより前方に配置する構成と、一つのマグネットで２つの磁気回路を形成する構成とを容易に実現することができる。
【００２１】
また、本開示の一態様に係る電子機器は、上記のスピーカユニットと、前記スピーカユニットに電気信号を入力する回路部と、を備える。
【００２２】
また、本開示の一態様に係る移動体装置は、上記のスピーカユニットと、前記スピーカユニットに電気信号を入力する回路部と、前記スピーカユニットと前記回路部とを搭載した、自走可能な本体と、を備える。
【００２３】
以下、本開示の一態様に係るスピーカユニットについて、図面を参照しながら具体的に説明する。
【００２４】
なお、以下で説明する実施の形態は、いずれも本開示の一具体例を示すものである。以下の実施の形態で示される数値、形状、材料、構成要素、構成要素の配置位置及び接続形態、処理、処理の順序などは、一例であり、本開示を限定する主旨ではない。また、以下の実施の形態における構成要素のうち、最上位概念を示す独立請求項に記載されていない構成要素については、任意の構成要素として説明される。
【００２５】
（実施の形態）
図１〜図１１を用いて、実施の形態のスピーカユニットについて説明する。
【００２６】
［１−１．構成］
図１は、実施の形態に係るスピーカユニットの外観を示す斜視図である。図２は、図１のスピーカユニットのＩＩ−ＩＩ断面図である。図３は、図２における磁気回路周辺の領域Ａ１を拡大した図である。なお、図２は、スピーカユニット１の軸（中心軸）を通る仮想的な平面でスピーカユニット１を切断したときの断面図である。
【００２７】
なお、これらの図では、スピーカユニット１の軸方向をＺ軸方向とし、右手系の座標系を適用してＸ軸方向およびＹ軸方向を定義している。スピーカユニット１の音の放出方向、つまり、前方向をＺ軸プラス方向とし、放出方向の反対方向、つまり、後方向をＺ軸マイナス方向とする。なお、各図において、Ｘ軸方向、Ｙ軸方向およびＺ軸方向のそれぞれを示す矢印が示す方向を、各軸におけるプラス方向とし、矢印とは反対方向を、各軸におけるマイナス方向とする。また、スピーカユニット１の音の放出方向とは、他の方向よりも音圧が大きい方向である。
【００２８】
スピーカユニット１は、低音用スピーカと高音用スピーカとが同軸で配置される、いわゆる、コアキシャル型スピーカである。図１〜図３に示すように、主に、支持部材１０と、磁気回路２０と、第１振動板３０と、第１ボイスコイル３２と、第２振動板４０と、第２ボイスコイル４２とを備える。
【００２９】
支持部材１０は、磁気回路２０および第１振動板３０を支持する枠状部材１１と、枠状部材に配置された第１振動板３０を前方から抑える押さえ部材１２とを有する。枠状部材１１は、第１振動板３０の外周を支持し、かつ、当該外周の外側を囲う部位と、磁気回路２０の外周を支持し、かつ、当該外周の外側を囲う部位と、これらの２つの部位がＺ軸方向に並んだ状態で当該２つの部位を接続する部位とを有する。支持部材１０は、例えば、樹脂などにより構成される。
【００３０】
磁気回路２０は、ヨーク２１と、マグネット２２と、柱状部材２３と、筒状部材２４とを有する。
【００３１】
ヨーク２１は、底面部２１ａと、底面部２１ａのＺ軸プラス方向側に立設される筒部２１ｂとを有する。底面部２１ａは、円板状の部位であり、中心に貫通孔２１ｃを有する。筒部２１ｂは、円筒形状の部位である。筒部２１ｂの円筒形状の軸は、Ｚ軸方向に略平行である。筒部２１ｂのＺ軸プラス方向側の端部は、底面部２１ａに配置されるマグネット２２のＺ軸プラス方向側の端部よりもＺ軸プラス方向側に配置される。つまり、ヨーク２１は、マグネット２２よりもＺ軸プラス方向側にはみ出した位置に配置される。ヨーク２１は、磁性体により構成される。
【００３２】
マグネット２２は、略円板形状の部材であり、ヨーク２１の筒部２１ｂの軸に沿った方向、つまり、Ｚ軸方向で着磁されている。つまり、マグネット２２のＺ軸マイナス方向側の第１端面２２ａと、Ｚ軸プラス方向側の第２端面２２ｂとは、互いに異なる極性を有する。マグネット２２のＺ軸マイナス方向側の第１端面２２ａは、ヨーク２１の底面部２１ａのＺ軸プラス方向側の面に固定されている。
【００３３】
柱状部材２３は、マグネット２２のＺ軸プラス方向側の第２端面２２ｂに固定される、略円柱形状の部材である。柱状部材２３は、マグネット２２の第２端面２２ｂからＺ軸プラス方向側に離れるにつれて、Ｚ軸方向に略垂直な方向の幅が広がる形状を有する。具体的には、柱状部材２３は、Ｚ軸プラス方向側の端部におけるＺ軸方向に略垂直な方向の幅は、Ｚ軸方向における他の位置におけるＺ軸方向に略垂直な方向の幅よりも大きい。柱状部材２３は、磁性体により構成される。
【００３４】
筒状部材２４は、柱状部材２３と同様に、マグネット２２の第２端面２２ｂに固定される。筒状部材２４は、マグネット２２の第２端面２２ｂのうち、スピーカユニット１の径方向において柱状部材２３よりも外側の領域に固定される。つまり、筒状部材２４は、スピーカユニット１の径方向において、柱状部材２３とヨーク２１の筒部２１ｂとの間の位置に配置される。また、筒状部材２４のマグネット２２の第２端面２２ｂからのＺ軸方向における高さは、柱状部材２３の第２端面２２ｂからのＺ軸方向における高さと略同じである。
【００３５】
また、筒状部材２４は、図３に示されるように、Ｚ軸マイナス方向側の端部において、スピーカユニット１の径方向の外側に突出して広がる形状を有していてもよい。つまり、筒状部材２４は、ヨーク２１の筒部２１ｂの内周面に近づく方向に突出している形状を有していてもよい。また、筒状部材２４は、図３に示されるように、Ｚ軸プラス方向側の端部において、スピーカユニット１の径方向の内側に突出して広がる形状を有していてもよい。つまり、筒状部材２４は、柱状部材２３のＺ軸プラス方向側の端部の外周面に近づく方向に突出している形状を有していてもよい。
【００３６】
ヨーク２１の筒部２１ｂは、マグネット２２よりもＺ軸プラス方向側にはみ出した位置に配置されるため、ヨーク２１と筒状部材２４とは、スピーカユニット１の径方向において互いに対向する第１対向部を有する。ヨーク２１と筒状部材２４とのそれぞれに設けられた第１対向部同士の間には、第１磁気空隙３４が形成されている。第１磁気空隙３４は、ヨーク２１の筒部２１ｂの内周面と、筒状部材２４の外周面との間に、内周面および外周面の全周に亘って形成されている。
【００３７】
柱状部材２３は、Ｚ軸プラス方向側の端部におけるＺ軸方向に略垂直な方向の幅が、Ｚ軸方向における他の位置における幅よりも大きい形状を有するため、柱状部材２３と筒状部材２４とは、他の部位よりもスピーカユニット１の径方向において互いに近づいて対向する第２対向部を有する。柱状部材２３と筒状部材２４とのそれぞれに設けられた第２対向部同士の間には、第２磁気空隙４４が形成されている。第２磁気空隙４４は、柱状部材２３のＺ軸プラス方向側の端部の外周面と、筒状部材２４のＺ軸プラス方向側の端部の内周面との間に、外周面および内周面の全周に亘って形成されている。
【００３８】
なお、筒状部材２４の第２対向部は、筒状部材２４のＺ軸マイナス方向側の端部に配置され、筒状部材２４の第１対向部は、筒状部材２４のＺ軸プラス方向側の端部に配置される。このため、筒状部材２４の第２対向部は、筒状部材２４の第１対向部よりもＺ軸プラス方向側の位置に配置される。
【００３９】
上記の構成により、磁気回路２０は、ヨーク２１、マグネット２２および筒状部材２４で構成される磁気回路による第１磁気空隙３４と、マグネット２２、柱状部材２３および筒状部材２４で構成される磁気回路による第２磁気空隙４４との２つの磁気空隙を有する。
【００４０】
磁気回路２０を構成するヨーク２１、マグネット２２、柱状部材２３および筒状部材２４は、互いに接着剤により固定されている。なお、ヨーク２１、マグネット２２、柱状部材２３および筒状部材２４は、必ずしも接着剤で固定されていなくてもよく、ネジ、リベットなどの締結部材を用いて固定されていてもよい。
【００４１】
第１振動板３０は、コーン形の振動板であり、低音用の振動板である。第１振動板３０は、外周縁が接続部材３１を介して支持部材１０に固定されている。具体的には、接続部材３１は、第１振動板３０の外周を囲む円環状の部材である。第１振動板３０の外周縁は、接続部材３１の内周縁に固定されている。接続部材３１は、可撓性を有し、接続部材３１の外周縁は、支持部材１０に固定されている。接続部材３１は、例えば、Ｚ軸プラス方向側に凸となる曲面形状を有する。第１振動板３０は、スピーカユニット１の軸上に貫通孔３０ａを有する。第１振動板３０は、貫通孔３０ａの内周部分が第１ボイスコイル３２と固定されている。なお、第１振動板３０は、コーン形に限らずに、平面振動板であってもよい。
【００４２】
第１ボイスコイル３２は、円筒状に巻回されたワイヤで構成されるコイル部３２ａと、円筒型のボビン３２ｂとを有する。コイル部３２ａは、ボビン３２ｂの外周面のうち第１振動板３０と固定される側とは反対側（つまり、Ｚ軸マイナス方向側）の端部に固定されている。第１ボイスコイル３２は、コイル部３２ａが配置される一端が磁気回路２０の第１磁気空隙３４内に配置され、他端が第１振動板３０の貫通孔３０ａの内周部分に固定されている。これにより、第１ボイスコイル３２のコイル部３２ａは、第１磁気空隙３４内に配置される。コイル部３２ａは、例えば、全ての部分が第１磁気空隙３４内に配置されてもよい。第１ボイスコイル３２は、図示しない、電気信号が入力される入力端子に電気的に接続されている。なお、第１ボイスコイル３２は、ボビン３２ｂを有していない構成、つまり、コイル部３２ａのみを有する構成であってもよい。この場合の構成では、第１ボイスコイル３２の一部が第１磁気空隙３４内に配置される。
【００４３】
第２振動板４０は、Ｚ軸方向から見た場合に略円形状であり、ドーム形状の振動板である。第２振動板４０は、高音用の振動板である。第２振動板４０は、第１振動板３０の貫通孔３０ａの内側に配置され、第２ボイスコイル４２および筒状部材２４に固定される。具体的には、第２振動板４０は、接続部材４１を介して、筒状部材２４のＺ軸プラス方向側に固定されている支持部材６１に固定されることで、筒状部材２４に固定されている。接続部材４１は、第２振動板４０の外周を囲む円環状の部材である。第２振動板４０の外周縁は、接続部材４１の内周縁に固定されている。接続部材４１は、可撓性を有し、接続部材４１の外周縁は、支持部材６１に固定されている。また、支持部材６１のＺ軸プラス方向側には押さえ部材６２が配置され、接続部材４１は、支持部材６１および押さえ部材６２によりＺ軸方向で挟まれることにより、支持部材６１に固定されている。なお、第２振動板４０は、ドーム形状に限らずに、平面振動板であってもよい。
【００４４】
第２ボイスコイル４２は、円筒状に巻回されたワイヤで構成されるコイル部４２ａと、円筒形のボビン４２ｂとを有する。コイル部４２ａは、ボビン４２ｂの外周面のうち第２振動板４０と固定される側とは反対側（つまり、Ｚ軸マイナス方向側）の端部に固定されている。第２ボイスコイル４２は、コイル部４２ａが配置される一端が磁気回路２０の第２磁気空隙４４内に配置され、他端が第２振動板４０の外周部分に固定されている。これにより、第２ボイスコイル４２のコイル部４２ａは、第２磁気空隙４４内に配置される。コイル部４２ａは、例えば、全ての部分が第２磁気空隙４４内に配置されてもよい。第２ボイスコイル４２は、図示しない、電気信号が入力される入力端子に電気的に接続されている。なお、第２ボイスコイル４２は、ボビン４２ｂを有していない構成、つまり、コイル部４２ａのみを有する構成であってもよい。この場合の構成では、第２ボイスコイル４２の一部が第２磁気空隙４４内に配置される。
【００４５】
第２振動板４０と第２ボイスコイル４２との固定部分４５は、スピーカユニット１の軸を通る仮想的な平面と第１振動板３０との交線を延長した直線Ｌ１よりもＺ軸プラス方向側の位置に配置される。また、第２ボイスコイル４２のコイル部４２ａは、直線Ｌ１上の位置に配置されてもよい。
【００４６】
ダンパ５０は、環状のコルゲート形のダンパであり、内周縁が第１ボイスコイル３２のボビン３２ｂの外周面に固定され、外周縁が支持部材１０の枠状部材１１に固定されている。ダンパ５０は、第１ボイスコイル３２が第１磁気空隙３４内をＺ軸方向に振動させ、Ｚ軸方向に交差する方向に移動しないように、第１ボイスコイル３２の振動方向を規制する部材である。
【００４７】
［１−２．効果など］
本実施の形態に係るスピーカユニット１によれば、第１ボイスコイル３２用の第１磁気空隙３４が形成される磁気回路と、第２ボイスコイル４２用の第２磁気空隙４４が形成される磁気回路とを、１つのマグネット２２を用いて形成している。また、第２振動板４０と第２ボイスコイル４２との固定部分４５は、スピーカユニット１の軸を通る仮想的な平面と第１振動板３０との交線を延長した直線Ｌ１よりもＺ軸プラス方向側の位置（つまり、前方の位置）に配置される。このため、第２振動板４０を、より前方の位置に配置することができる。これらのことから、高音用スピーカの指向特性と、部品点数および重量の低減とを両立することができる。
【００４８】
また、本実施の形態に係るスピーカユニット１において、第２ボイスコイル４２は、直線Ｌ１上の位置に配置される。このため、第１振動板３０を通る直線Ｌ１よりもＺ軸プラス方向側の位置（つまり、前方の位置）に第２振動板４０を配置することができる。
【００４９】
また、本実施の形態に係るスピーカユニット１において、筒状部材２４の第２対向部は、筒状部材２４の第１対向部よりもＺ軸プラス方向側の位置（つまり、前方の位置）に配置される。このため、第２振動板４０をより前方に配置する構成と、１つのマグネット２２で２つの磁気回路を形成する構成とを容易に実現することができる。
【００５０】
［１−３．変形例］
［１−３−１．変形例１］
変形例１に係るスピーカユニット１Ａについて説明する。
【００５１】
図４は、変形例１に係るスピーカユニットのＩＩ−ＩＩ断面図に対応する断面図である。図５は、図４における磁気回路周辺の領域Ａ２を拡大した図である。
【００５２】
スピーカユニット１Ａは、実施の形態に係るスピーカユニット１と比較して、磁気回路２０のＺ軸プラス方向側の面にマグネット６０が配置されている点が異なる。なお、スピーカユニット１Ａのその他の構成は、スピーカユニット１と同様であるので説明を省略する。
【００５３】
マグネット６０は、柱状部材２３のＺ軸プラス方向側の面に固定され、マグネット２２の着磁方向とは反対方向に着磁されている。これにより、第２磁気空隙４４における磁束密度を大きくすることができ、第２ボイスコイル４２への磁気作用を大きくすることができる。
【００５４】
［１−３−２．変形例２］
変形例２に係るスピーカユニット１Ｂについて説明する。
【００５５】
図６は、変形例２に係るスピーカユニットのＩＩ−ＩＩ断面図に対応する断面図である。図７は、図６における磁気回路周辺の領域Ａ３を拡大した図である。
【００５６】
スピーカユニット１Ｂは、実施の形態に係るスピーカユニット１と比較して、磁気回路２０Ｂの柱状部材２３Ｂの形状が異なる。なお、スピーカユニット１Ｂのその他の構成は、スピーカユニット１と同様であるので説明を省略する。
【００５７】
柱状部材２３Ｂは、有底筒状の部材である。つまり、柱状部材２３Ｂは、内部に空間２３Ｂａを有する。また、柱状部材２３Ｂの底部は、マグネット２２の第２端面２２ｂに固定されており、柱状部材２３Ｂの空間２２Ｂａは、Ｚ軸プラス方向側が開放されている空間である。このように柱状部材２３Ｂは、空間２２Ｂａを有するため、重量をより低減することができる。
【００５８】
［１−３−３．変形例３］
変形例３に係るスピーカユニット１Ｃについて説明する。
【００５９】
図８は、変形例３に係るスピーカユニットのＩＩ−ＩＩ断面図に対応する断面図である。図９は、図８における磁気回路周辺の領域Ａ４を拡大した図である。
【００６０】
スピーカユニット１Ｃは、実施の形態に係るスピーカユニット１と比較して、磁気回路２０のＺ軸プラス方向側の面にマグネット６０が配置されている点と、磁気回路２０Ｂの柱状部材２３Ｂの形状とが異なる。スピーカユニット１Ｃは、変形例２のスピーカユニット１Ｂの磁気回路２０ＢのＺ軸プラス方向側の面に、変形例１のスピーカユニット１Ａに用いられているマグネット６０が配置されている構成である。このように、変形例１および変形例２の構成を組み合わせた構成のスピーカユニット１Ｃを採用してもよい。
【００６１】
（実施の形態２）
次に、実施の形態１で説明したスピーカユニット１、１Ａ〜１Ｃを用いた電子機器の一例について、図１０を参照しながら説明する。図１０は、実施の形態２における電子機器であるオーディオ用のミニコンポシステムの外観図である。
【００６２】
スピーカユニット１がエンクロジャー２０１に組込まれて、スピーカシステムが構成されている。ミニコンポシステム２００は、このスピーカシステムと、スピーカユニット１に入力する電気信号の増幅部であるアンプ２０２と、アンプ２０２に入力されるソースを出力するプレーヤ２０３とを有している。すなわち、ミニコンポシステム２００はスピーカユニット１と、スピーカユニット１に電気信号を入力する回路部であるアンプ２０２とを有する。
【００６３】
この構成とすることにより、軽量化や省資源化で地球環境対応に貢献できる電子機器を実現することができる。
【００６４】
さらに、取付け時の変形や取付け歪等についても、フレームの強度確保ができていることから、大きく低減させることができ、低価格や高品質、高信頼性を実現できる電子機器を実現することができる。よって、電子機器の軽量化や省資源化と低価格化、高品質、高信頼性を実現できるという大きな効果を発揮することができる。
【００６５】
（実施の形態３）
次に、図１１を参照しながら、スピーカユニット１、１Ａ〜１Ｃを用いた移動体装置の一例を説明する。図１１は、実施の形態３における移動体装置である自動車の断面図である。
【００６６】
スピーカユニット１をリアトレイやフロントパネルに組込んで、カーナビゲーションやカーオーディオの一部として使用して自動車３００が構成されている。カーナビゲーションやカーオーディオは、スピーカユニットに電気信号を入力する回路部３０１を構成している。すなわち、移動体装置である自動車３００は、スピーカユニット１と、スピーカユニット１に電気信号を入力する回路部３０１と、スピーカユニット１と回路部３０１とを搭載した、自走可能な本体３０２とを有する。
【００６７】
スピーカユニット１の自動車３００への取付け位置については、リアトレイやフロントパネルに限定されることなく、ドアや天井、ピラー部、インパネ部、床等どの位置であっても良い。
【００６８】
以上説明した実施の形態は、本開示の理解を容易にするためのものであり、実施の形態により説明したスピーカユニットを構成する各構成要素の材料や形状は種々変更可能であり、本開示を限定して解釈するためのものではない。
【００６９】
以上のように、本開示における技術の例示として、実施の形態を説明した。そのために、添付図面および詳細な説明を提供した。
【００７０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７１】
また、上述の実施の形態は、本開示における技術を例示するためのものであるから、特許請求の範囲またはその均等の範囲において種々の変更、置き換え、付加、省略などを行うことができる。また、上記実施の形態は、その趣旨を逸脱することなく変更、改良され得るとともに、上記実施の形態にはその等価物も含まれる。
【産業上の利用可能性】
【００７２】
本開示は、高音用スピーカの指向特性と、部品点数および重量の低減とを両立することができるスピーカユニット、電子機器、移動体装置などとして有用である。
【符号の説明】
【００７３】
１、１Ａ、１Ｂ、１Ｃ    スピーカユニット
１０    支持部材
１１    枠状部材
１２    押さえ部材
２０、２０Ｂ    磁気回路
２１    ヨーク
２１ａ    底面部
２１ｂ    筒部
２１ｃ    貫通孔
２２    マグネット
２２ａ    第１端面
２２ｂ    第２端面
２３、２３Ｂ    柱状部材
２３Ｂａ    空間
２４    筒状部材
３０    第１振動板
３０ａ    貫通孔
３１    接続部材
３２    第１ボイスコイル
３２ａ    コイル部
３２ｂ    ボビン
３４    第１磁気空隙
４０    第２振動板
４１    接続部材
４２    第２ボイスコイル
４２ａ    コイル部
４２ｂ    ボビン
４４    第２磁気空隙
４５    固定部分
５０    ダンパ
６０    マグネット
６１    支持部材
６２    押さえ部材
【図１】
2020150472.tif 000003
【図２】
2020150472.tif 000004
【図３】
2020150472.tif 000005
【図４】
2020150472.tif 000006
【図５】
2020150472.tif 000007
【図６】
2020150472.tif 000008
【図７】
2020150472.tif 000009
【図８】
2020150472.tif 000010
【図９】
2020150472.tif 000011
【図１０】
2020150472.tif 000012
【図１１】
2020150472.tif 000013